(57)【要約】【課題】  読取枚数や複写枚数が表示されても、ユーザは、読取枚数や複写枚数を示す数字を見ても、原稿全体に対する複写の進捗状況を直ぐに把握することができないため、複写の進捗状況をユーザが把握し易いように表示する画像形成装置を提供することを目的とする。【解決手段】  本発明の画像形成装置は、読取枚数や原稿の複写完了枚数に基づいた図形を表示して、複写の進行状況をユーザが把握し易いようにしている。読取枚数や原稿の複写完了枚数が増加すると、画像形成装置は、増加した枚数に応じて表示した変更する。上記図形は、例えば、読取枚数や原稿の複写完了枚数に応じた厚さの直方体である。画像形成装置は、読取枚数に基づく図形と原稿の複写完了枚数に基づく図形の片方をだけでなく両方を表示してもよい。【選択図】  図２
2005210232.tif 000002
【特許請求の範囲】
【請求項１】
読み取った原稿を複写する画像形成装置において、
読み取られた原稿の読取枚数と原稿の複写完了枚数の少なくとも一方をカウントするカウント手段と、
上記カウントされた枚数に基づいた図形を表示する表示手段を備えたことを特徴とする画像形成装置。      
【請求項２】
上記表示手段は、上記カウントされた枚数に応じた厚さの直方体の図形を表示する請求項１に記載の画像形成装置。
【請求項３】
上記複写は、原稿の全ページが読み取られてから行われ、
上記表示手段は、上記読取枚数と上記原稿の複写完了枚数の差に基づいた図形を表示する請求項１に記載の画像形成装置。
【請求項４】
上記カウント手段は、上記読取枚数と上記原稿の複写完了枚数をカウントし、
上記表示手段は、上記読取枚数に基づいた図形と上記原稿の複写完了枚数に基づいた図形を表示する請求項１に記載の画像形成装置。
【請求項５】
上記表示手段は、上記読取枚数に基づいた図形と上記原稿の複写完了枚数に基づいた図形の色彩を異ならせて表示する請求項４に記載の画像形成装置。
【請求項６】
上記表示手段は、外部から原稿の複写の指示があると、上記図形の表示を開始する請求項１に記載の画像形成装置。
【発明の詳細な説明】
【技術分野】
【０００１】
本発明は、複合機、複写機等の画像形成装置に関する。
【背景技術】
【０００２】
従来、特開２００２−１０８４１３号公報に記載されているように、一般的に画像形成装置は、原稿を読み取って複写する場合、読み取った読取枚数や複写した複写枚数をカウントして、カウントした枚数を操作パネルに表示することを行っている。
【０００３】
読取枚数や、複写枚数が表示されることで、ユーザは、表示された枚数から複写の進行状況を把握することができる。
【特許文献１】特開２００２―１０８４１３号公報
【発明の開示】
【発明が解決しようとする課題】
【０００４】
しかし、読取枚数や複写枚数が表示されても、ユーザは、読取枚数や複写枚数を示す数字を見ても、原稿全体に対する複写の進捗状況を直ぐに把握することができない。
【０００５】
また、読取枚数や複写枚数が表示されても、原稿全体の枚数が分からないと、原稿の複写がどの程度進行したのか把握することが難しい。
【０００６】
そこで、本発明は、複写の進捗状況をユーザが把握し易いように表示する画像形成装置を提供することを目的とする。
【課題を解決するための手段】
【０００７】
本発明の画像形成装置は、読取枚数や複写枚数に基づいた図形を表示して、複写の進行状況をユーザが把握し易いようにしている。読取枚数や複写枚数が増加すると、画像形成装置は、増加した枚数に応じて表示した変更する。上記図形は、例えば、読取枚数や複写枚数に応じた厚さの直方体である。画像形成装置は、読取枚数に基づく図形と複写枚数に基づく図形の片方をだけでなく両方を表示してもよい。
【発明の効果】
【０００８】
本発明によれば、複写の進捗状況に応じた図形が表示されるので、画像形成装置のユーザは、従来のように数字を見て複写の進捗状況を把握することに比べて複写の進捗状況を容易に把握することができる。
【発明を実施するための最良の形態】
【０００９】
（実施の形態１）  
以下、本発明の実施の形態を図面に従って詳細に説明する。
【００１０】
画像形成装置１００は、図１に示すように、上面にプラテン１０４を備える本体１１０と本体１１０の上部に設けられたプラテンカバー１０３を具備する。プラテンカバー１０３は、載置された複数ページの原稿を１枚づつスキャナ部１０１に搬送することができる自動原稿搬送装置（以下、「ＤＦ」という。）１０２を備える。  
【００１１】
画像形成装置１００は、図２に示すように、ユーザの複写の指示を受ける操作部２０１を本体１１０に備える。この操作部２０１には、複写枚数や、複写部数を設定するテンキー２０１２、スタートキー２０１１、ソート等のモードを設定するモードキー２０１３等を備える。
【００１２】
ソート機能無しで、複写枚数が設定され、スタートキー２０１１が押下されると、複写制御手段２０２が複写処理を開始する。スタートキー２０１１が押下されると、まず複写制御手段２０２は、プラテン１０４又はＤＦ１０２の原稿載置トレイ１０５の何れに原稿が載置されているかを判断する。
【００１３】
原稿載置トレイ１０５に原稿が載っていないと、上記複写制御手段２０２は、プラテン１０４に載置された原稿の読取指示を読取手段２０３に通知する。原稿載置トレイ１０５に原稿が載置されている場合、上記複写制御手段２０２は、ＤＦ１０２に原稿の搬送を要求し、ＤＦ１０２にて搬送される原稿の読取指示を上記読取手段２０３にする。
【００１４】
上記読取手段２０３は、上記複写制御手段２０２から読取指示があると、プラテン１０４に載置された原稿を読み取ったり、ＤＦ１０２にて搬送された原稿をスキャナ部で１０１読み取る。上記読取手段２０３は、スキャナ部１０１にて原稿を読み取った場合だけ、原稿を１枚読み取る度に読取完了の旨をカウント手段２０４に通知する。
【００１５】
上記カウント手段２０４は、上記読取手段２０３から読み取り完了の旨が通知される度に読取枚数を１増加させて、スキャナ部１０１で読み取られた原稿の読取枚数をカウントする。
【００１６】
上記複写制御手段２０２は、上記のようにプラテン１０４に載置された原稿やスキャナ部１０１での原稿の読み取りを開始すると、上記複写制御手段２０２は複写手段２０５に原稿の複写を指示する。スキャナ部１０１での原稿の読み取りを開始すると、上記複写制御手段２０２は、設定された複写枚数の複写が完了する度に上記カウント手段２０４に複写完了を通知する。即ち、原稿１枚分の複写が終了した時点で上記カウント手段２０４に原稿１枚分の複写完了を通知する
上記複写手段２０５は、上記複写制御手段２０２から複写が指示されると、上記読取手段２０３が読み取った原稿の複写を行う。上記複写手段２０５は、複写を１枚行う度に上記複写制御手段２０２に通知する。  
【００１７】
カウント手段２０４は、上記複写制御手段２０２から原稿１枚分の複写が完了した旨が通知される度に原稿の複写完了枚数を１増加させて、スキャナ部１０１で読み取られた原稿が複写された原稿の複写完了枚数をカウントする。
【００１８】
カウント手段２０４がカウントする読取枚数または原稿の複写完了枚数は、表示手段２０６にて監視されている。上記表示手段２０６は、読取枚数または原稿の複写完了枚数を参照して、読取枚数又は原稿の複写完了枚数に応じた図形を画像形成装置１００に備えられた表示パネル２０７に表示する。
【００１９】
本実施の形態では、上記表示手段２０６が表示する図形は、図３に示すように、読取枚数または原稿の複写完了枚数に応じた厚みを持つ直方体である。この厚みは、読取枚数や原稿の複写完了枚数に比例する。したがって、原稿が複数ページである場合、次々と原稿の読取りや複写が行われて、読取枚数や原稿の複写完了枚数が増えると、上記表示手段２０６は、表示パネル２０７に表示する直方体を、図４に示すように読取枚数や原稿の複写完了枚数の増加に応じた厚みを持つ直方体に変更する。
【００２０】
以上のように、読み取りや複写が行われた枚数に応じた厚みを持つ直方体の図形が表示されることで、ユーザは、この図形を見ることで、複写の進行状況を容易に把握することができる。  
【００２１】
（実施の形態２）
実施の形態１では、直方体の厚みが読取枚数や原稿の複写完了枚数に比例した場合について説明したが、直方体の厚みを複写されていない原稿の枚数に比例させてもよい。
【００２２】
複写されていない原稿の枚数に厚みが比例した直方体を表示するためには、複写されていない原稿が何ページあるかを上記表示手段２０６が把握しておかなければならない。そのため、複写されていない原稿の枚数に厚みが比例した直方体を表示する場合、上記複写制御手段２０２は、原稿の全ページを読み取るまで、上記複写手段２０５に対して複写の指示を出さない。原稿の全ページの読み取りが行われたかどうかの判断は、例えば、原稿載置トレイ１０５に原稿の載置が確認することができなくなったかどうかに基づいて行う。例えば、上記読取手段２０４は、原稿載置トレイ１０５に原稿の載置が確認できなくなると、上記複写制御手段２０２に全ページの読取が終了した旨を通知する。原稿の全ページの読み取りが終了してから複写が行われると、上記表示手段２０６は、読取枚数から原稿の複写完了枚数を引いくことで複写されていない原稿の枚数を算出することができる。
【００２３】
複写されていない原稿の枚数に厚みが比例した直方体は、複写が進行すると、厚みが図５に示すように減少する。
【００２４】
上記のように、原稿が何ページからなるのか分からないと、複写されていない原稿の枚数に厚みが比例した直方体を描くことができないので、上記表示手段２０６は、複写枚数がカウントされ始めるまで、複写されていない原稿の枚数に厚みが比例した直方体を表示しない。
【００２５】
（実施の形態３）
複写の進捗状況の把握をユーザがより容易にすることができるように、図６に示すように、原稿の複写完了枚数に応じた厚さの直方体５０１と、原稿の全ページ数に応じた厚さの直方体５０２の両方を重ねて表示してもよい。原稿の全ページ数に応じた厚さの直方体５０２の厚さは、原稿の全ページが読み取られたときの読取枚数に応じた厚さである。
【００２６】
原稿の全ページが読み取られたときの読取枚数が分からなければ、上記表示手段２０６は、原稿の全ページ数に応じた厚みの直方体５０２を描くことができない。そのため、本実施の形態では、実施の形態２のように、上記読取手段２０３は原稿の全ページを読み取るまで複写の指示を出さず、上記表示手段２０６は、原稿の複写完了枚数がカウントされ始めるまで、直方体５０１、５０２の表示を行わない。
【００２７】
直方体５０１と直方体５０２の区別をユーザがし易いように、上記表示手段２０６は、それぞれの直方体の色を異ならせて表示してもよい。
【００２８】
（実施の形態４）
また、図７に示すように、複写されていない原稿の枚数に応じた厚さの直方体６０１と、原稿全体の枚数に応じた厚さの直方体５０２の両方を重ねて表示してもよい。本実施の形態２及び３に記載のように、原稿の全ページが読み取られたときの読取枚数が分からなければ、上記表示手段２０６は、複写されていない原稿の枚数に応じた厚さの直方体６０１と原稿の全ページ数に応じた厚みの直方体５０２を描くことができない。そのため、本実施の形態では、上記読取手段２０３は原稿の全ページを読み取るまで複写の指示を出さず、上記表示手段２０６は、原稿の複写完了枚数がカウントされ始めるまで、直方体６０１、５０２の表示を行わない。
【００２９】
直方体６０１と直方体５０２の区別をユーザがし易いように、上記表示手段２０２は、それぞれの直方体の色を異ならせて表示してもよい。
【図面の簡単な説明】
【００３０】
【図１】本発明の画像形成装置の外観図である。
【図２】本発明の画像形成装置のブロック図である。
【図３】表示パネルの表示例を示す図である。
【図４】複写の進行とともに、読取枚数または原稿の複写完了枚数に厚みが比例した直方体の変化を示す図である。
【図５】複写の進行とともに、複写されていない原稿の枚数に厚みが比例した直方体の変化を示す図である。
【図６】原稿の複写完了枚数に応じた厚さの直方体と、原稿の全ページ数に応じた厚さの直方体の表示例である。
【図７】複写されていない原稿の枚数に応じた厚さの直方体と、原稿全体の枚数に応じた厚さの直方体の表示例である。
【符号の説明】
【００３１】
１００  画像形成装置
１０２  自動原稿搬送装置
２０２  複写制御手段
２０３  読取手段
２０４  カウント手段
２０５  複写手段
２０６  表示手段
２０７  表示パネル
【図１】
2005210232.tif 000003
【図２】
2005210232.tif 000004
【図３】
2005210232.tif 000005
【図４】
2005210232.tif 000006
【図５】
2005210232.tif 000007
【図６】
2005210232.tif 000008
【図７】
2005210232.tif 000009